(57)【要約】【課題】多孔質材に含浸させるのに適した洗浄料組成物を提供する。また当該洗浄料組成物を含有した多孔質材を提供する。【解決手段】多孔質材に含浸させる洗浄成分として、アニオン界面活性剤及びノニオン界面活性剤よりなる群から選択される少なくとも１種を含有し、８０℃条件下での粘度が９０ｍＰａ・ｓ以下であって、常温で固体状で略８０℃で液状を呈することを特徴とする洗浄料組成物を用いる。【選択図】なし【特許請求の範囲】
【請求項１】
洗浄成分として、アニオン界面活性剤及びノニオン界面活性剤よりなる群から選択される少なくとも１種を含有し、８０℃条件下での粘度が９０ｍＰａ・ｓ以下であって、常温で固体状で略８０℃で液状を呈することを特徴とする、多孔質材含浸保持用洗浄料組成物。
【請求項２】
多孔質材が、開孔を有し、見掛気孔率が５〜８０％であるものである請求項１に記載の多孔質材含浸保持用洗浄料組成物。
【請求項３】
多孔質材が、硬質体である請求項２に記載の多孔質材含浸保持用洗浄料組成物。
【請求項４】
請求項１に記載の多孔質材含浸保持用洗浄料組成物を含有する多孔質材。
【請求項５】
開孔を有し、見掛気孔率が５〜８０％であることを特徴とする請求項４に記載の多孔質材。
【請求項６】
圧縮強さが１０ｋｇ以上である請求項４または５に記載の多孔質材。
【請求項７】
洗浄具、トイレ洗浄材、ポット洗浄材、排水口洗浄材、または入れ歯洗浄材として用いられる請求項４乃至６のいずれかに記載の多孔質材。
【請求項８】
請求項１乃至３のいずれかに記載の多孔質材含浸用洗浄料組成物を液体状態に調整して多孔質材を含浸させる工程、及び冷却固化させる工程を有する、請求項４乃至７のいずれかに記載の多孔質材の製造方法。
【発明の詳細な説明】
【０００１】
【発明の属する技術分野】
本発明は、多孔質材含浸保持用洗浄料組成物に関する。さらに本発明は、当該洗浄料組成物を多孔質材に含浸保持することによって洗浄料を徐々に且つ長期に亘り持続的に放出することのできる洗浄料含有多孔質材に関する。
【０００２】
【従来の技術】
従来より、洗浄料に徐放性をもたせ、その効果を長期に持続させる為の方法として、種々の方法が提案されている。例えば、製剤的工夫を施すことにより洗浄料そのものに徐放性を持たせる方法や多孔質材の中に洗浄料を充填する方法などが知られている。前者の方法は、洗浄料以外に徐放性付与剤を用いるため、化学物質による人体への安全性や環境への影響が懸念される。一方、後者の具体例としては、垢すりや皮膚の角質を除去する洗浄具として、軽石の内部に空洞を設けその空洞部に洗浄剤を充填することにより該洗浄剤の液相分が徐々に滲出するように工夫された洗浄剤入り軽石が提案されている（実用新案第３０３８９６０号）。しかしこの場合、洗浄剤を内部に封入するために一旦軽石を中央付近で切断し、内部に空洞を設けてそこに洗浄剤を充填後、再び接着する方法といった煩雑な方法で作成されるものであり、製造にコストと時間がかかるという問題がある。
【０００３】
【発明が解決しようとする課題】
本発明は、徐放性と持続性を備えた洗浄料含有多孔質材をより簡単な方法で作成するのに適した洗浄料組成物を提供することを目的とする。より詳細には、本発明は、液体状態で多孔質材に含浸しやすく、しかも多孔質材に担持された状態での使用条件下では徐放性と持続性を発揮する洗浄料組成物を提供することを目的とする。さらに、本発明はかかる洗浄料を含有することによって、洗浄料の効果が長期に亘って持続する多孔質材（洗浄料含有多孔質材）を提供することを目的とする。
【０００４】
【課題を解決するための手段】
本発明者らは、上記課題を解決すべく鋭意検討を重ねたところ、洗浄成分としてアニオン界面活性剤及びノニオン界面活性剤よりなる群から選択される少なくとも１種を含有し、特定の物理的性状を有する洗浄料組成物が、多孔質材への含浸性に優れ、かつ洗浄料組成物が多孔質材に含浸固化した後の使用において、多孔質材から洗浄料組成物が適度に溶出して長期に亘って洗浄作用が持続することを見いだした。本発明はかかる知見に基づいて開発されたたものであり、具体的には下記の態様を包含するものである。
項１．洗浄成分として、アニオン界面活性剤及びノニオン界面活性剤よりなる群から選択される少なくとも１種を含有し、８０℃条件下での粘度が９０ｍＰａ・ｓ以下であって、常温で固体状で略８０℃で液状を呈することを特徴とする、多孔質材含浸保持用洗浄料組成物。
項２．多孔質材が、開孔を有し、見掛気孔率が５〜８０％であるものである項１に記載の多孔質材含浸保持用洗浄料組成物。
項３．多孔質材が、硬質体である項２に記載の多孔質材含浸保持用洗浄料組成物。
項４．項１に記載の多孔質材含浸保持用洗浄料組成物を含有する多孔質材。
項５．開孔を有し、見掛気孔率が５〜８０％であることを特徴とする項４に記載の多孔質材。
項６．圧縮強さが１０ｋｇ以上である項４または５に記載の多孔質材。
項７．洗浄具、トイレ洗浄材、ポット洗浄材、排水口洗浄材、または入れ歯洗浄材として用いられる項４乃至６のいずれかに記載の多孔質材。
項８．項１乃至３のいずれかに記載の多孔質材含浸用洗浄料組成物を液体状態に調整して多孔質材を含浸させる工程、及び冷却固化させる工程を有する、項４乃至７のいずれかに記載の多孔質材の製造方法。
【０００５】
【発明の実施の形態】
（１）洗浄料組成物
本発明の洗浄料組成物は、洗浄成分として、アニオン界面活性剤及びノニオン界面活性剤よりなる群から選択される少なくとも１種を含有し、８０℃条件下での粘度が９０ｍＰａ・ｓ以下で、常温で固体状で略８０℃で液体状を呈することを特徴とするものである。
【０００６】
ここで本発明で用いられるアニオン界面活性剤としては、本発明の組成物が上記性質を備えることを限度として特に制限されないが、好ましくは融点が４０〜７５℃、より好ましくは４５〜７０℃、更に好ましくは５０〜６０℃のものを挙げることができる。具体的には、疎水基として炭素数１２〜１８の直鎖状アルキル基及び親水基としてカルボン酸の塩を有する高級脂肪酸塩（例えば石鹸等）、疎水基として炭素数１２〜１８の直鎖状アルキル基及び親水基としてスルホン基の塩を有するアルキルスルホン酸塩またはスルホン化高級脂肪酸塩、疎水基として炭素数１２〜１８の直鎖状アルキル基及び親水基としてアルコールの硫酸エステルの塩を有する高級アルコール硫酸エステル塩を例示することができる。より具体的には、ラウリン酸、ミリスチン酸、パルミチン酸及びステアリン酸等の炭素数１２〜１８の高級脂肪酸の塩；ラウリル硫酸ナトリウム等のアルキルスルホン酸塩；Ｎ−ラウロイルサルコシンナトリウム等のアシルサルコシン塩；α−オレフィンスルホン酸ナトリウム等のアルキルベンゼンスルホン酸塩；ポリオキシエチレンラウリルエーテルリン酸等のリン酸モノエステルを挙げることができる。好ましくは、炭素数１２〜１８の高級脂肪酸の塩である。
【０００７】
ここで、塩としては、ナトリウム塩やカリウム塩などのアルカリ金属塩、及びトリエタノールアミン塩などのアルカノールアミン塩を挙げることができる。一般的に、ナトリウム塩を有するアニオン界面活性剤は比較的融点が高く、またカリウム塩やトリエタノールアミン塩は比較的融点が低い傾向にある。ゆえに、本発明においては、特に制限することなく、上記の融点を有する塩の形態のアニオン界面活性剤を適宜選択して用いることができる。
【０００８】
なお、本発明において洗浄成分としてアニオン界面活性剤を用いる場合、１種単独で用いてもよいし、また２種以上を任意に組み合わせて使用することもできる。
【０００９】
本発明で用いられるノニオン界面活性剤としては、本発明の組成物が上記性質を備えることを限度として特に制限されないが、アニオン界面活性剤と同様に、融点が４０〜７５℃の範囲にあるものを好適に挙げることができる。より好ましくは融点が４５〜７０℃の範囲、更に好ましくは５０〜６０℃の範囲にあるものである。具体的には、脂肪酸アルカノールアミド、ポリオキシエチレン脂肪酸エステル、アルキルポリオキシエチレンエーテル、グリセリン脂肪酸エステル、エチレングリコール脂肪酸を挙げることができる。なお、ここで脂肪酸としては炭素数１２〜１８のラウリン酸、ミリスチン酸、パルミチン酸、ステアリン酸及びオレイン酸を挙げることができる。より具体的には、ラウリン酸ジエタノールアミド、ヤシ油脂肪酸モノエタノールアミド、ステアリン酸モノエタノールアミド及びラウリン酸モノイソプロパノールアミド等の脂肪酸アルカノールアミド；ラノリン酸ポリエチレングリコール、モノステアリン酸ポリエチレングリコール、ジステアリン酸ポリエチレングリコール及びジオレイン酸ポリエチレングリコール等のポリオキシエチレン脂肪酸エステル；ポリオキシエチレンラウリンエーテル及びポリオキシエチレンオレインエーテル等のアルキルポリオキシエチレンエーテル；モノステアリン酸グリセリン等のグリセリン脂肪酸エステル；ジステアリン酸エチレングリコール及びモノステアリン酸エチレングリコール等のエチレングリコール脂肪酸を例示することができる。
【００１０】
なお、本発明において洗浄成分としてノニオン界面活性剤を用いる場合、１種単独で用いてもよいし、また２種以上を任意に組み合わせて使用することもできる。
【００１１】
本発明の洗浄料組成物は、洗浄成分として上記のアニオン界面活性剤またはノニオン界面活性剤を各々単独または両者を組み合わせて含有することができる。洗浄料組成物中に含まれるこれらの洗浄成分（総量）の配合割合は、本発明の組成物が上記の性質を備えることを限度として特に制限されないが、固形分換算で、洗浄料組成物１００重量％中１５〜４５重量％、好ましくは２０〜４０重量％、より好ましくは２５〜３５重量％の範囲を挙げることができる。
【００１２】
さらに本発明の洗浄料組成物は、本発明の効果を損なわない範囲で、殺菌・抗菌剤、起泡剤、粘度調整剤、香料、着色料、ｐＨ調整剤、消臭・防臭剤、及び希釈剤等を含有していてもよい。
【００１３】
ここで殺菌・抗菌剤としては、アルキルトリメチルアンモニウムクロリド、アルキルベンジルジメチルアンモニウムクロリド等の４級アンモニウム塩型のカチオン界面活性剤；Ｎ−アルキルベタインやアルキルベタイン（例えばラウリルジメチルアミノ酢酸ベタイン、ヤシ油アルキルベタイン、ラウリン酸アミドプロピルベタイン、ヤシ油脂肪酸プロピルベタイン、２−アルキル−Ｎ−カルボキシメチル−Ｎ−ヒドロキシエチルイミダゾリニウムベタインなど）のベタイン型の両性界面活性剤を挙げることができる。具体的な殺菌剤として、アルキルトリメチルアンモニウムクロリドとしては、ラウリルトリメチルアンモニウムクロライドやベヘニルトリメチルアンモニウムクロライドを、アルキルベンジルジメチルアンモニウムクロリドとしては、ジミリスチルジメチルアンモニウムクロライドやジステアリルジメチルアンモニウムクロライドを挙げることができる。
【００１４】
また起泡剤としてはラウリル硫酸ナトリウム、ラウリル酸ジエタノールアミド並びに炭素数１２〜１８の脂肪酸塩、具体的にはラウリン酸塩、ステアリ酸塩、パルミチン酸塩及びミリスチン酸塩を挙げることができる。なお、ここで脂肪酸の塩としては、ナトリウム及びカリウムなどの脂肪酸のアルカリ金属塩、及び脂肪酸亜鉛を挙げることができる。
【００１５】
さらに粘度調整剤としては、グリセリン、ひまし油、スクワラン、パルミチン酸、白色ワセリン、ミツロウ、流動パラフィン、１，３−ブチレングリコール等を；ｐＨ調整剤としては、塩酸、酢酸、クエン酸、硫酸、水酸化ナトリウム、アンモニア等を；また消臭・防臭剤としてはカテキンやフラボノイド等の天然系消臭剤並びにラウリルジメチルアミノ酢酸ベタインなどのベタイン系消臭剤を挙げることができる。また希釈剤としては水、及びエタノールなどのアルコールを挙げることができる。
【００１６】
本発明の洗浄料組成物は、８０℃条件下で粘度が９０ｍＰａ・ｓ以下であることを特徴とする。好ましくは８０℃条件下で８５ｍＰａ・ｓ以下、より好ましくは８０℃条件下で６５ｍＰａ・ｓ以下である。なお、ここでいう粘度は上記特定の温度条件下、Ｂ型粘度計で１番ローターを用いて６０ｒｐｍ回転させて測定して得られる粘度をいう。
【００１７】
さらに本発明の洗浄料組成物は、常温で固体状、略８０℃で液体状を呈するものである。
【００１８】
ここで常温とは２５℃前後の温度をいう。本発明の洗浄料組成物は２５℃以下、好ましくは３５℃以下、より好ましくは４０℃以下、さらに好ましくは４５℃以下で固体状を有し、また７５℃以上、好ましくは６５℃以上、より好ましくは５５℃以上で液体状を呈することが望ましい。
【００１９】
かかる性質を備える本発明の洗浄料組成物は、液体状態で多孔質材の孔内に滲入しやすく、かつ常温状態で孔内で固体状態となって安定に保有されるのに適した組成物である。ゆえに、本発明の洗浄料組成物は、洗浄料含有多孔質材の原料成分として有用である。また、洗浄料組成物の具体的な態様は、洗浄料含有多孔質材の用途（例えば、垢すりや皮膚の角質除去等の人体洗浄具、タイルや　　　等の硬質表面の洗浄具、トイレ洗浄材、ポット洗浄材、排水口洗浄材、入れ歯洗浄材等）に応じて、適宜調製することができる。
【００２０】
なお、ここで本発明の洗浄料組成物を担持させるために用いらる多孔質材としては、制限はされないが、下記（２）に記載する多孔質材を好適に例示することができる。
【００２１】
（２）洗浄料組成物含有多孔質材及びその製造方法
本発明は、洗浄料組成物含有多孔質材を提供する。
【００２２】
本発明の洗浄料組成物含有多孔質材は、上記の本発明の洗浄料組成物を液体状で多孔質材に含浸させ、次いで固化させることによって調製することができる。
【００２３】
具体的には、本発明の洗浄料組成物含有多孔質材は、上記本発明の洗浄料組成物を加温して液状とし、これに多孔質材を浸漬して洗浄料組成物を含浸させ、次いで冷却固化することによって調製することができる。
【００２４】
ここで洗浄料組成物の加温条件は、洗浄料組成物が溶融して液状になる温度であれば特に制限されない。本発明の洗浄料組成物は少なくとも略８０℃で液体状態を有するものであるから、８０℃前後に加温すればよい。ただし、洗浄料組成物が溶融して液状になる温度であれば足り、かかる温度に何ら制限されるものではない。多孔質材の浸漬温度は、洗浄料組成物が溶融状態を保持する温度であれば特に制限されないが、通常５０〜９０℃、好ましくは６０〜８０℃の範囲を挙げることができる。なお浸漬時間は、洗浄料組成物が多孔質材に含浸されることを限度に特に制限されない。通常、数秒〜数時間、好ましくは３０秒〜１時間、より好ましくは２〜１５分間を例示することができるが、これらに何ら制限されない。固化条件は、洗浄料組成物が固化する温度条件下に配置しておけばよく、具体的には、常温以下、具体的には略２５℃以下の条件下に配置されることが好ましい。
【００２５】
本発明において、洗浄料組成物を含浸保持させる対象の多孔質材としては、特に制限されないが、開孔を有し、見掛気孔率が５〜８０％、好ましくは３０〜７０％、より好ましくは４０〜６０％の範囲にあるものである。
【００２６】
ここで開孔とは、気孔の少なくとも一端が多孔質材の表面に対して開いている孔であり、一般的な開孔として、個々の気孔が連結されてできた溝型気孔、袋小路型気孔、環状型気孔、くぼみ気孔、及び微小気孔が知られいる（「わかりやすい工業用陶磁器」技報堂出版（株）発行、１９６９年６月３０日発行、第２５９頁）。さらに本発明でいう開孔には多孔質材の一面から他の面につながってなる連続気孔が包含される。
【００２７】
本発明で好適に用いられる多孔質材は、かかる孔によって形成される空隙部分と物質自体の部分から構成されてなるものであり、その量的割合を評価する指標として見掛気孔率を挙げることができる。見掛気孔率は、下式の空隙部分と物質との量的関係を示す物性である。
【００２８】
【数１】
2004051699.tif 000002
【００２９】
本発明においては、当該見掛気孔率は「耐火れんがの見掛気孔率・吸水率・比重の測定方法」ＪＩＳ　Ｒ　２２０５−１９９２に従って、下式によって求めることができる。
【００３０】
【数２】
2004051699.tif 000003
【００３１】
なお、ここで乾燥試料の質量、飽水試料の水中質量及び飽水試料の質量はいずれも上記ＪＩＳ　Ｒ　２２０５−１９９２に規定される方法に従って測定することができる。
【００３２】
本発明で好適に用いられる多孔質材は、上記特性を有するものであれば、それを構成する物質の素材は特に制限されるものではない。具体的に素材の一例を挙げるとすれば、セメント、石灰、石膏、フライアッシュ、珪藻土、粘土等の無機質素材；活性炭、木炭、竹炭及び焼結樹脂等の有機物素材；堆積岩や火成岩等の天然鉱物；海綿；焼結金属やセラミックなどの無機焼結物；ウレタンやプラスチック等の合成高分子化合物；セルロースやパルプ等の半合成高分子化合物；綿や麻などの天然高分子化合物等を挙げることができる。
【００３３】
具体的には、本発明で好適に使用される多孔質材として、上記特性を備える下記の構造物を挙げることができる：有機焼結体（活性炭、木炭、竹炭、焼結樹脂など）、無機焼結体（セラミック、焼結金属など）、繊維構造物（不織布、織物、原綿など）、合成高分子構造物（ウレタンスポンジ、プラスチックなど）、半合成高分子構造物（セルローススポンジ、パルプモールド等）、天然鉱物（堆積岩、火成岩等）、海綿。
【００３４】
また、多孔質材として、シラス等の天然原料を加熱して発泡させてバルーン状にして、これを圧縮成形したもの：天然軽石素材の粉末と発泡スチロールなどの樹脂剤との混合物を圧縮成形して固めたもの：または天然軽石素材の粉末とスチロール樹脂との混合物を所定形状の型枠に充填成形し、焼成と同時にスチロール樹脂を燃焼させて気孔を形成させたもの：耐火性素材（例えば、セメント、石灰、石膏、フライアッシュ、珪藻土、粘土等の無機質素材、活性炭、木炭、竹炭及び焼結樹脂等の有機物素材、堆積岩や火成岩等の天然鉱物、または焼結金属やセラミックなどの無機焼結物等）と燃性成分（例えば、おがくず、籾殻、コーヒー滓、種子、茶殻、プラスチック及びこれらの粉砕物等のように高温燃焼によって消失する成分）の混合物を圧縮成形して固めたものを焼成し、焼性成分を燃焼させて気孔を形成させたものを用いることもできる。
【００３５】
多孔質材の形態は特に制限されず、石鹸型（楕円球形）、フットボール形、球形、立方形、板状などを広く挙げることができる。
【００３６】
本発明で用いられる多孔質材は、硬質体であることが好ましい。その硬度は特に制限されないが、好ましくは圧縮強さとして１０ｋｇ以上、好ましくは５０ｋｇ以上、より好ましくは１００ｋｇ以上を有することが望ましい。なお、ここでいう圧縮強さは「耐火レンガの圧縮強さの試験方法」ＪＩＳ　　Ｒ２２０６に従って測定することができ、当該方法によって測定し得られる値をいう。
【００３７】
本発明の洗浄料組成物含有多孔質材は、表面に形成される開孔による凹凸により擦り効果及び汚垢除去効果に優れるとともに、内部に安定して洗浄料組成物を保有しているため、洗浄使用時に徐々に洗浄料が溶出する。ゆえに垢すりや皮膚の角質を除去する人体洗浄具やタイルや土間などの硬質面の洗浄具等のように、多孔質材による擦り作用とそこから溶出する洗浄料による洗浄作用との両方の作用を利用して対象物を洗浄する洗浄具として有用に用いることができる。特に、人体洗浄具とする場合、従来の軽石よりも肌を滑らかに擦ることができ、よりマイルドな使用感で角質を除去することができるという利点もある。また本発明の洗浄料組成物含有多孔質材は、トイレ洗浄材、ポット洗浄材、排水口洗浄材、入れ歯洗浄材等などのように多孔質材から洗浄料を徐放させて対象物を洗浄する洗浄材として用いることができる。
【００３８】
【実施例】
以下、実施例を挙げて本発明をより詳細に説明する。ただし、本発明はこれらの実施例によって限定されることはない。なお、下記の実施例において特に言及する場合を除いて、％とは重量％を、また部とは重量部を意味するものとする。
【００３９】
また、実施例１〜３及び比較例１及び２にて示す各洗浄料組成物の粘度は、各特定の温度条件（実施例１〜３、比較例２：８０℃、比較例１：２００℃）で、Ｂ型粘度計（１型ローター使用）を用いて６０ｒｐｍ回転で測定したものである。
【００４０】
参考例１　　多孔質材の製造方法
2004051699.tif 000004
【００４１】
上記各成分を混合して、直方体の形態に２５０ｋｇ／ｃｍ２の圧力で加圧成形した後、８００℃で素焼きし、さらに１３００℃で焼成し、多孔質材を得た。なお、おがくずは平均粒径２ｍｍになるように篩いにかけたものを用いた。得られた多孔質材の各成分の重量％は下記の通りである：カオリン鉱物６５％、石英１５％、長石５％、石灰石１５％。
【００４２】
得られた多孔質材について、重量、圧縮強さ、及び見掛気孔率を調べた。なお、圧縮強さは「耐火レンガの圧縮強さの試験方法」ＪＩＳ　　Ｒ２２０６、に従って測定し、見掛気孔率は「耐火れんがの見掛気孔率・吸水率・比重の測定方法」ＪＩＳ　Ｒ　２２０５−１９９２に従って測定した。その結果、見掛気孔率は４０％、圧縮強さは２００ｋｇであった。
【００４３】
実施例１
下記の成分を混合して８０℃に加熱して溶融し、液状の洗浄料組成物を調製し、８０℃における粘度を測定した。
【００４４】
＜処方＞
2004051699.tif 000005
【００４５】
調製した洗浄料組成物は８０℃で液状を呈していた。また当該温度における粘度は４０〜４５ｍＰａ・ｓであった。
【００４６】
かかる洗浄料組成物に、参考例１に記載する方法で調製した多孔質材を浸漬し、８０℃条件で２分間放置し、次いで、洗浄料組成物から引き上げて、常温下で１０分間放置した。斯くして調製した洗浄料組成物含有多孔質材について、（１）洗浄料組成物の含浸性、（２）洗浄料保持力（洗浄料の滲出性）及び（３）人体洗浄具としての効果について評価した。
【００４７】
（１）洗浄料組成物の含浸性
洗浄料組成物の含浸性は、下式により多孔質材１００重量％に対する含浸洗浄料組成物の割合（含浸％）を算出し、下記の基準に基づいて評価をした。
【００４８】
【数３】
2004051699.tif 000006
【００４９】
＜評価基準＞
○：洗浄料の含浸％が７０％以上
△：洗浄料の含浸％が５０％以上７０％未満
×：洗浄料の含浸％が５０％未満。
【００５０】
（２）洗浄料保持力（洗浄料の滲出性）
洗浄料組成物含有多孔質材の洗浄料保持力（洗浄料の滲出性）は、洗浄料組成物含有多孔質材を水に濡らし、ガラス瓶に入れ、４０℃、７５ＲＨ％条件下で２４時間放置した後の該多孔質材からの洗浄料の滲みだしを下記の基準に従って目視により測定し、評価した。
＜評価基準＞
○：多孔質材の表面に、洗浄料の滲み出しが殆ど見られない。
△：多孔質材の表面に、洗浄料の滲み出しがやや見られる。
×：多孔質材の表面に、洗浄料の滲み出しがかなり見られる。
【００５１】
（３）人体洗浄具としての洗浄効果
洗浄料組成物含有多孔質材を実際にパネラー１０名にかかとの角質除去に使用してもらい、除去（洗浄）効果を下記の基準に従って評価してもらった。
＜評価基準＞
１：角質除去効果あり
２：角質除去効果ややあり
３：どちらともいえない
４：角質除去効果はあまりない
５：角質除去効果なし。
【００５２】
これらのパネラーの評価を総計して、下記の基準により洗浄料組成物含有多孔質材の洗浄効果を評価した。
＜総合評価基準＞
○：１及び２と回答した人数が全体の７０％以上
△：１及び２と回答した人数が全体の５０％以上７０％未満
×：１及び２と回答した人数が全体の５０％未満。
【００５３】
実施例２
下記の成分を混合して８０℃に加熱して溶融し、液状の洗浄料組成物を調製し、８０℃における粘度を測定した。
【００５４】
＜処方＞
2004051699.tif 000007
【００５５】調製した洗浄料組成物は８０℃で液状を呈していた。また当該温度における粘度は１５〜２２ｍＰａ・ｓであった。
【００５６】
かかる洗浄料組成物に、参考例１に記載する方法で調製した多孔質材を浸漬し、８０℃条件で２分間放置し、次いで、洗浄料組成物から引き上げて、常温下で１０分間放置した。斯くして調製した洗浄料組成物含有多孔質材について、実施例１と同様にして、洗浄料組成物の含浸性、洗浄料の保持力（洗浄料の滲出性）及び洗浄具の使用感を評価した。
【００５７】
実施例３
下記の成分を混合して８０℃に加熱して溶融し、液状の洗浄料組成物を調製し、８０℃における粘度を測定した。
【００５８】
＜処方＞
ポリオキシアルキレンアルキレンアルキル　　　　１００％
（ＤＫＳ　ＮＬ−６００Ｆ、第一工業製薬（株）製）
調製した洗浄料組成物は６５℃で既に液状を呈していた。また８０℃における粘度は約５３Ｐａ・ｓであった。
【００５９】
かかる洗浄料組成物に、参考例１に記載する方法で調製した多孔質材を浸漬し、８０℃条件で２分間放置し、次いで、洗浄料組成物から引き上げて、常温下で１０分間放置した。斯くして調製した洗浄料組成物含有多孔質材について、実施例１と同様にして、洗浄料組成物の含浸性、洗浄料の保持力（洗浄料の滲出性）及び洗浄具としての使用感を評価した。
【００６０】
比較例１
下記の成分を混合して２００℃に加熱して溶融し、液状の洗浄料組成物を調製し、２００℃における粘度を測定した。
【００６１】
＜処方＞
2004051699.tif 000008
調製した洗浄料組成物は８０℃では溶融しないが２００℃で液状を呈した。また当該温度における粘度は１８０〜２００ｍＰａ・ｓであった。
【００６２】
かかる洗浄料組成物に、参考例１に記載する方法で調製した多孔質材を浸漬し、２００℃条件で２分間放置し、次いで、洗浄料組成物から引き上げて、常温下で１０分間放置した。斯くして調製した洗浄料組成物含有多孔質材について、実施例１の方法と同様にして、洗浄料組成物の含浸性及び洗浄具としての使用感を評価した。
【００６３】
比較例２
下記の成分を混合して７０℃に加熱して溶融し、液状の洗浄料組成物を調製し、８０℃における粘度を測定した。
＜処方＞
2004051699.tif 000009
調製した洗浄料組成物は７０℃で液状を呈していた。また８０℃における粘度は１３０ｍＰａ・ｓであった。
【００６４】
かかる洗浄料組成物に、参考例１に記載する方法で調製した多孔質材を浸漬し、８０℃条件で２分間放置し、次いで、洗浄料組成物から引き上げて、常温下で１０分間放置した。斯くして調製した洗浄料組成物含有多孔質材について、実施例１と同様にして洗浄料組成物の含浸性及び洗浄具としての使用感を評価した。
【００６５】
表１に、上記実施例１〜３及び比較例１及び２で調製した洗浄料組成物含有多孔質材の洗浄料組成物の含浸性、洗浄料の保持力（洗浄料の滲出性）及び洗浄具としての使用感の評価結果を示す。
【００６６】
【表１】
2004051699.tif 000010
【００６７】
【発明の効果】
本発明の洗浄料組成物は、液体状態で多孔質材の孔内に滲入しやすく、かつ常温状態で孔内で固体状態となって安定に保有されるのに適している。このため、洗浄料含有多孔質材の洗浄料原料として有用である。
【００６８】
また本発明の洗浄料組成物含有多孔質材は、擦り効果及び汚垢除去効果に優れるとともに、内部に安定して洗浄料組成物を保有しているため、洗浄使用時に徐々に洗浄料が溶出する。ゆえに垢すりや皮膚の角質を除去する人体洗浄具やタイルや土間などの硬質面の洗浄具等として有用である。特に、人体洗浄具とする場合、従来の軽石よりも肌を滑らかに擦ることができ、よりマイルドな使用感で角質を除去することができるという利点もある。また本発明の洗浄料組成物含有多孔質材は、トイレ洗浄材、ポット洗浄材、排水口洗浄材、入れ歯洗浄材等などのように多孔質材から洗浄料を徐放させて対象物を洗浄する洗浄材として有用である。